(57)【要約】【課題】本発明は、ノイズの発生などの性能の低下を防止でき、また、ブーツの抜けを確実に防止できるモジュラープラグを提供する。【解決手段】本発明のモジュラープラグＰは、ブーツ１と、ハウジング２と、セパレータ３と、マネージメントバー４と、接続端子５とを有する。ブーツ１の各係止片1cは、ハウジング２内に挿入され、その先端に第１の係止部1dが形成されている。セパレータ３は、第１の背面3aと一対の第１の開放面3bとからなる断面略コ字状の第１のガイド部3cと、第２の背面3dと一対の第２の開放面3eとからなる断面略コ字状の第２のガイド部3fと、第１の背面3aの中間及び第２の背面3dの中間を連結する連結部3gとを備え、一対の第１の開放面3bの対向する先端部、一対の第２の開放面3eの対向する先端部、第１の背面3a及び第２の背面3dの対向する両端部には芯線固定用ストッパー７が形成されている。【選択図】  図１
2007200785.tif 000002
【特許請求の範囲】
【請求項１】
複数の芯線を被覆して形成されたケーブルを保持し、モジュラージャックに挿入して電気的に接続するモジュラープラグにおいて、
前記ケーブルを挿入する第１のケーブル挿入部が形成されたブーツと、
前記ブーツに係止され、前記ケーブルを挿入する第２のケーブル挿入部及び前記ケーブルの被覆を除去して露出された複数の芯線を挿入する芯線挿入部が形成されたハウジングと、
前記ハウジングの芯線挿入部内に配置され、前記複数の芯線を２本１組毎に分離して配置するセパレータと、
前記ハウジングの先端部に取り付けられ、前記セパレータによって分離された各芯線に接続される接続端子と、
を有し、
前記セパレータは、第１の背面と一対の第１の開放面とからなる断面略コ字状の第１のガイド部と、第２の背面と一対の第２の開放面とからなる断面略コ字状の第２のガイド部と、前記第１のガイド部の第１の背面の中間及び第２のガイド部の第２の背面の中間を連結する連結部とを備え、
前記一対の第１の開放面の対向する先端部、一対の第２の開放面の対向する先端部、第１の背面及び前記第２の背面の対向する両端部には、配置された芯線を固定する芯線固定用ストッパーがそれぞれ形成されている、
ことを特徴とするモジュラープラグ。
【請求項２】
前記ハウジングには、前記第２のケーブル挿入部に挿入されたケーブルを係止する第２の係止部が形成され、
前記ブーツには、前記ハウジング内に挿入され、第１の係止部が形成された係止片が取り付けられ、
前記ハウジングの第２の係止部を押し曲げることにより、前記ケーブルの表面に食い込ませるとともに、前記ブーツの係止片の第１の係止部に係止させ、前記ハウジングを前記ブーツに固定させる、
ことを特徴とする請求項１に記載のモジュラープラグ。
【請求項３】
前記ハウジングの芯線挿入部内に配置され、前記セパレータによって分離された芯線を並列状態に整列するマネージメントバーをさらに有することを特徴とする請求項１又は２に記載のモジュラープラグ。
【発明の詳細な説明】
【技術分野】
【０００１】
本発明は、複数の芯線を被覆して形成されたケーブルを保持し、モジュラージャックに挿入して電気的に接続するモジュラープラグに関し、特に、２本の芯線を１組として撚り合わせたツイストペア型ケーブルに適用されるモジュラープラグに関する。
【背景技術】
【０００２】
一般に、モジュラープラグは、電話やＬＡＮ（ローカルエリアネットワーク）などに使用されるケーブル内の芯線を結線して機器本体のモジュラージャックに接続するために用いられるコネクタ部材である。
【０００３】
一方、電線に交番磁界が作用すると、電磁誘導により電流が流れ、ノイズ発生の原因になる。そこで、ノイズの発生を防止するために、ＬＡＮ用のケーブルなどにおいては、２本の芯線を１組として撚り合わせ、その外側に絶縁体からなるシースを被覆して形成されたツイストペア型ケーブルが用いられることが多い。
【０００４】
このようなツイストペア型ケーブル用のモジュラープラグの内部においては、例えば、芯線同士の干渉を回避するためにセパレータが用いられている。
【０００５】
図５は、従来のモジュラープラグに用いられるセパレータの一例を示す正面断面図である。図５に示すように、従来のモジュラープラグに用いられるセパレータ５０は、第１の水平部５０ａ及び第１の垂直部５０ｂとからなり、断面略Ｌ字状に形成された第１のガイド部５０ｃと、第２の水平部５０ｄ及び第２の垂直部５０ｅとからなり、断面略Ｌ字状に形成されたる第２のガイド部５０ｆと、第１の垂直部５０ｂの中間及び第２の垂直部５０ｅの中間に連結された連結部５０ｇとからなる。
【０００６】
モジュラープラグの組立の際、ケーブルの先端部のシースを剥き、内部の芯線の撚りを解いた後、所定の結線方法に従い、各芯線をセパレータに挿入する。その際、第１のガイド部５０ｃに第１組の２本の芯線Ｓ１，Ｓ２が配置され、第２のガイド部５０ｆに第２組の２本の芯線Ｓ３，Ｓ４が配置され、連結部５０ｇの上部に第３組の２本の芯線Ｓ５，Ｓ６が配置され、連結部の下部に第４組の２本の芯線Ｓ７，Ｓ８が配置される。
【０００７】
第１組の２本の芯線Ｓ１，Ｓ２及び第２組の２本の芯線Ｓ３，Ｓ４は、ノイズの発生を防止するために撚りを残したまま水平状態に配置され、第３組の２本の芯線Ｓ５，Ｓ６及び第４組の２本の芯線Ｓ７，Ｓ８は、撚りを残したまま段違いに配置される（以下、この技術を従来例１という）。
【０００８】
また、特開２００３−２６４０２６号公報（特許文献１）には、ケーブルが貫通する挿通口を備えた箱状部の上部には、彎曲して前方に延びたひさしを有し、箱状部の前端には上記挿通口の口孔外周縁より２つの係止突起を設け、この係止突起に三角形状の切り込みを有しており、箱状部の後端は多数の窓を有する円筒状のケーブルガイド部が延設されているモジュラープラグ用保護具が提案されている（以下、この技術を従来例２という）。
【特許文献１】特開２００３−２６４０２６号公報
【発明の開示】
【発明が解決しようとする課題】
【０００９】
従来例１では、第３組の２本の芯線Ｓ５，Ｓ６及び第４組の２本の芯線Ｓ７，Ｓ８が段違いに配置されるので、外側の芯線Ｓ５，Ｓ８がセパレータ５０内に収まらずにセパレータ５０より外に盛り上がってしまう。そのため、セパレータ５０をハウジング内に配置した際に、外側の芯線がハウジングの内壁に押圧されるため、ノイズの発生など性能の低下を招きやすくなるという課題があった。
【００１０】
また、従来のセパレータ５０では、芯線Ｓ１〜Ｓ８をガイドする空間が開放されているので、芯線Ｓ１〜Ｓ８をセパレータ５０内で固定することが困難であった。そのため、マネージメントバーに挿入する際に各芯線Ｓ１〜Ｓ８を一列に配列する作業に時間がかかり、組立の作業性が悪くなるという課題があった。
【００１１】
従来例２では、箱状部の前端に係止突起を設け、各係止突起に、ハウジングのかぎ状部に係止する切り込みを形成している。しかし、ハウジング内に箱状部の係止突起を挿入するための隙間をある程度設ける必要があるため、ハウジングのかぎ状部の圧着時の角度により、かぎ状部が十分に係止突起の切り込みに入らない場合があり、ブーツの抜けを招きやすくなるという課題があった。  
本発明は、上記課題を解決するためになされたものであり、ノイズの発生などの性能の低下を防止でき、また、ブーツの抜けを確実に防止できるモジュラープラグを提供することを目的とする。
【課題を解決するための手段】
【００１２】
本発明のモジュラープラグは、複数の芯線を被覆して形成されたケーブルを保持し、モジュラージャックに挿入して電気的に接続するモジュラープラグにおいて、前記ケーブルを挿入する第１のケーブル挿入部が形成されたブーツと、前記ブーツに係止され、前記ケーブルを挿入する第２のケーブル挿入部及び前記ケーブルの被覆を除去して露出された複数の芯線を挿入する芯線挿入部が形成されたハウジングと、前記ハウジングの芯線挿入部内に配置され、前記複数の芯線を２本１組毎に分離して配置するセパレータと、前記ハウジングの先端部に取り付けられ、前記セパレータによって分離された各芯線に接続される接続端子と、を有し、前記セパレータは、第１の背面と一対の第１の開放面とからなる断面略コ字状の第１のガイド部と、第２の背面と一対の第２の開放面とからなる断面略コ字状の第２のガイド部と、前記第１のガイド部の第１の背面の中間及び第２のガイド部の第２の背面の中間を連結する連結部とを備え、前記一対の第１の開放面の対向する先端部、一対の第２の開放面の対向する先端部、第１の背面及び前記第２の背面の対向する両端部には、配置された芯線を固定する芯線固定用ストッパーがそれぞれ形成されていることを特徴とするものである。
【００１３】
前記ハウジングには、前記第２のケーブル挿入部に挿入されたケーブルを係止する第２の係止部が形成され、前記ブーツには、前記ハウジング内に挿入され、第１の係止部が形成された係止片が取り付けられ、前記ハウジングの第２の係止部を押し曲げることにより、前記ケーブルの表面に食い込ませるとともに、前記ブーツの係止片の第１の係止部に係止させ、前記ハウジングを前記ブーツに固定させるように構成するのが好ましい。
【００１４】
前記ハウジングの芯線挿入部内に配置され、前記セパレータによって分離された芯線を並列状態に整列するマネージメントバーをさらに有してもよい。
【発明の効果】
【００１５】
本発明のモジュラープラグによれば、次のような優れた効果を奏する。
【００１６】
（１）セパレータの第１のガイド部内及び第２のガイド部内に撚りを残したままの芯線を配置でき、連結部の上部及び下部に撚りをほどいた芯線を配置できるので、各芯線を一列に配列する作業が容易となり、組立の作業性が向上する。
【００１７】
（２）セパレータに芯線固定用ストッパーが形成されているので、芯線の配置位置が固定され、配置された芯線の盛り上がり及び芯線のテンションを極力抑えることができる。これによって、マネージメントバーに挿入する際、各芯線を一列に配列する作業が容易となり、組立の作業性が向上する。
【００１８】
（３）芯線固定用ストッパーにより、セパレータ内にすべての芯線を収納できるので、芯線が部分的に膨らむことはない。そのため、ハウジングへの挿入時に、ハウジングの内壁によって芯線Ｓに押圧力がかかることがなく、ノイズの発生など性能の低下を防止することができる。
【００１９】
（４）ハウジングの第２の係止部を押し曲げることにより、ブーツの係止片の第１の係止部に係止させるので、ブーツの係止片の第１の係止部をハウジングの内壁に十分に接するように設計できる。そのため、第２の係止部と第１の係止部とを確実に係止させることができ、ブーツの抜けを確実に防止できる。
【発明を実施するための最良の形態】
【００２０】
以下、本発明の実施の形態について図面を参照して説明する。図１は、本発明の実施形態例に係るモジュラープラグの組立前の状態を示す分解斜視図、図２は、本発明の実施形態例に係るモジュラープラグの組立前の状態を示す側面断面図、図３は、本発明の実施形態例に係るモジュラープラグの組立後の状態を示す側面断面図、図４（Ａ）は本発明の実施形態例に係るモジュラープラグに用いられるセパレータを示す正面図、（Ｂ）はその側面図、（Ｃ）は芯線の配置状態を示す正面断面図である。
【００２１】
本発明の実施形態例に係るモジュラープラグは、複数の芯線を被覆して形成されたケーブルを保持し、各種機器のモジュラージャックに挿入して電気的に接続するために用いられる。本モジュラープラグに適用されるケーブルとしては、例えばCat（カテゴリー）6の規格のように、２本の芯線を１組として撚り合わせ、その外側に絶縁体からなるシースを被覆して形成されたツイストペア型ケーブルがある。また、Cat5E、Cat5、Cat3などの各種規格のケーブルや８極８芯プラグを用いるネットワーク関連規格のケーブルなどにも適用可能である。
【００２２】
図１〜図４に示すように、本発明の実施形態例に係るモジュラープラグＰは、ブーツ１と、ハウジング２と、セパレータ３と、マネージメントバー４と、接続端子（ブレードコンタクト）５とを有する。
【００２３】
ブーツ１は、例えばアクリロニトリル-ブタジエン-スチレン(ABS)樹脂、ポリ塩化ビニル (PVC)樹脂などで作られている。ハウジング２、セパレータ３、マネージメントバー４は、例えばポリカーボネイトなどで作られている。接続端子５は、ニッケルや金などでメッキされたリン青銅などで作られている。
【００２４】
ブーツ１は、ケーブルＫを挿入する第１のケーブル挿入部１ａが形成された本体１ｂと、本体１ｂの先端（図１〜３の左側端部）に形成された第１のケーブル挿入部１ａの先端側の開口部の外縁に形成された一対の係止片１ｃとを有する。各係止片１ｃは、ハウジング２内に挿入され、その先端に略三角形状の第１の係止部１ｄが形成されている。
【００２５】
ハウジング２は、全体が略直方体の形状に形成され、その先端（図１〜３の左側端部）の上面２ａ側（図１では下側、図２及び図３では上側）に、モジュラージャックの対応する凹部（図示せず）に嵌合させるための突部２ｂが形成されている。また、ハウジング２の上面２ａには、突部２ｂから後方へ延出するようにして、モジュラージャックの対応する係合部に係合させるための係止突起部２ｃと、モジュラープラグＰをモジュラージャックから抜去する際に、係止突起部２ｃの係合を外すためのレバー部２ｄとが形成されている。
【００２６】
ハウジング２内にはケーブルＫを挿入する第２のケーブル挿入部２ｅ及びケーブルＫの被覆を除去して露出された複数の芯線Ｓを挿入する芯線挿入部２ｆが形成されている。
【００２７】
ハウジング２の基端側の下面２ｈには開口部２ｆ’を備えた段差部２ｇが形成され、開口部２ｆ’内に第２の係止部２ｉが形成されている。この第２の係止部２ｉを第２のケーブル挿入部２ｅ内に押し曲げることにより、ケーブルＫの表面に食い込ませるとともに、ブーツ１の係止片１ｃに形成された第１の係止部１ｄに係止させ、ハウジング２をブーツ１に固定することができる。
【００２８】
セパレータ３は、ハウジング２の芯線挿入部２ｆ内に配置され、ケーブルＫの芯線同士の干渉を回避するために、ケーブルＫの複数の芯線を２本１組毎に分離して配置するものである。
【００２９】
図４に示すように、セパレータ３は、第１の背面３ａと一対の第１の開放面３ｂとからなる断面略コ字状の第１のガイド部３ｃと、第２の背面３ｄと一対の第２の開放面３ｅとからなる断面略コ字状の第２のガイド部３ｆと、第１のガイド部３ｃの第１の背面３ａの中間及び第２のガイド部３ｆの第２の背面３ｄの中間を連結する連結部３ｇとを備えている。
【００３０】
また、一対の第１の開放面３ｂの対向する先端部、一対の第２の開放面３ｅの対向する先端部、第１の背面３ａ及び第２の背面３ｄの対向する両端部には、配置された芯線を固定する芯線固定用ストッパー７がそれぞれ形成されている。
【００３１】
マネージメントバー４は、ハウジング２の芯線挿入部２ｆ内に配置され、セパレータ３によって分離された芯線を並列状態に整列するものである。
【００３２】
接続端子５は、ハウジング２の先端に設けられた接続端子保持部６に保持されている。接続端子５の先端部は、セパレータ３によって分離され、マネージメントバー４によって並列状態になった各芯線Ｓに接触して電気的に接続される。
【００３３】
次に、本発明の実施形態例に係るモジュラープラグＰの組立作業について説明する。
【００３４】
まず、ケーブルＫをブーツ１の第１のケーブル挿入部１ａに挿入する。
【００３５】
次いで、ブーツ１の第１のケーブル挿入部１ａの開口部を通じて取り出されたケーブルＫの先端部のシースを剥き、十字介在位置の部分を切り、内部の芯線Ｓの撚りを解く。
【００３６】
次いで、所定の結線方法に従い、各芯線Ｓをセパレータ３に挿入する。その際、図４（Ｃ）に示すように、第１のガイド部３ｃ内に第１組の２本の撚りを残した芯線Ｓ１，Ｓ２が配置され、第２のガイド部３ｆ内に第２組の２本の撚りを残した芯線Ｓ３，Ｓ４が配置され、連結部３ｇの上部に第３組の２本の撚りをほどいた芯線Ｓ５，Ｓ６が配置され、連結部３ｇの下部に第４組の撚りをほどいた２本の芯線Ｓ７，Ｓ８が配置される。
【００３７】
次いで、各芯線Ｓを伸ばして、マネージメントバー４に挿入し、先端部を切断する。
【００３８】
次いで、ケーブルＫをハウジング２の第２のケーブル挿入部２ｅに挿入し、マネージメントバー４によって整列された各芯線を芯線挿入部２ｆに挿入して、各接続端子５とを接触させて電気的に接続する。
【００３９】
その後、圧入工具を用いて、第２の係止部２ｉを第２のケーブル挿入部２ｅ内に押し曲げることにより、ケーブルＫの表面に食い込ませるとともに、ブーツ１の係止片１ｃに形成された第１の係止部１ｄに係止させ、ハウジング２をブーツ１に固定する。これにより、モジュラープラグＰの組立作業が完了する。
【００４０】
本発明の実施形態例に係るモジュラープラグＰによれば、セパレータ３の第１のガイド部３ｃ内及び第２のガイド部３ｆ内に撚りを残したままの芯線Ｓ１〜Ｓ４を配置でき、連結部３ｇの上部及び下部に撚りをほどいた芯線Ｓ５〜Ｓ８を配置できるので、各芯線を一列に配列する作業が容易となり、組立の作業性が向上する。
【００４１】
また、セパレータ３に芯線固定用ストッパー７が形成されているので、芯線Ｓの配置位置が固定され、配置された芯線Ｓの盛り上がり及び芯線のテンションを極力抑えることができる。これによって、マネージメントバー４に挿入する際、各芯線Ｓを一列に配列する作業が容易となり、組立の作業性が向上する。
【００４２】
また、芯線固定用ストッパー７により、セパレータ３内にすべての芯線Ｓを収納できるので、芯線Ｓが部分的に膨らむことはない。そのため、ハウジング２への挿入時に、ハウジング２の内壁によって芯線Ｓに押圧力がかかることがなく、ノイズの発生など性能の低下を防止することができる。
【００４３】
さらに、ハウジング２の第２の係止部２ｉを押し曲げることにより、ブーツ１の係止片１ｃの第１の係止部１ｄに係止させるので、ブーツ１の係止片１ｃの第１の係止部１ｄをハウジング２の内壁に十分に接するように設計できる。そのため、第２の係止部２ｉと第１の係止部１ｄとを確実に係止させることができ、ブーツ１の抜けを確実に防止できる。
【００４４】
本発明は、上記実施の形態に限定されることはなく、特許請求の範囲に記載された技術的事項の範囲内において、種々の変更が可能である。例えば、本発明の実施形態例に係るモジュラープラグＰを構成する各部材の材質や形状などは例示であり、これに限定されるものではない。
【産業上の利用可能性】
【００４５】
本発明のモジュラープラグは、電話やＬＡＮ（ローカルエリアネットワーク）などに使用され、複数の芯線を被覆して形成されたケーブルを保持し、モジュラージャックに挿入して電気的に接続するために用いられる。
【図面の簡単な説明】
【００４６】
【図１】本発明の実施形態例に係るモジュラープラグの組立前の状態を示す分解斜視図である。
【図２】本発明の実施形態例に係るモジュラープラグの組立前の状態を示す側面断面図である。
【図３】本発明の実施形態例に係るモジュラープラグの組立後の状態を示す側面断面図である。
【図４】（Ａ）は本発明の実施形態例に係るモジュラープラグに用いられるセパレータを示す正面図、（Ｂ）はその側面図、（Ｃ）は芯線の配置状態を示す正面断面図である。
【図５】従来例１のセパレータの一例を示す正面断面図である。
【符号の説明】
【００４７】
Ｐ：モジュラープラグ
Ｋ：ケーブル
Ｓ：芯線
１：ブーツ
２：ハウジング
３：セパレータ
４：マネージメントバー
５：接続端子
６：接続端子保持部
７：芯線固定用ストッパー
【図１】
2007200785.tif 000003
【図２】
2007200785.tif 000004
【図３】
2007200785.tif 000005
【図４】
2007200785.tif 000006
【図５】
2007200785.tif 000007